(57)【要約】【課題】市場に供給された多数の放送受信装置による番組表情報等の取得動作の際に電力消費のピークが発生しないように電力負荷を分散させ、電力供給設備への負担軽減を図る。【解決手段】サーバ装置１０は、予め決められた時刻毎に、放送受信装置の識別情報を登録すると共に、各時刻毎の放送受信装置による電力消費の指標値を登録する第１のＤＢ１３と、放送受信装置２０からアクセスがあったときに、放送受信装置２０の識別情報が第１のＤＢ１３に登録されていないと判定した場合、第１のＤＢ１３から電力消費の指標値が最も小さい時刻を抽出する制御手段１２と、制御手段１２により抽出された時刻を放送受信装置２０に通知する外部通信手段１１とを備える。放送受信装置２０は、サーバ装置１０から通知された時刻を、番組表情報取得の際の起動時刻として設定し、設定した起動時刻になったときに、スタンバイ状態から起動し、番組表情報を取得する。【選択図】図１
2012253546.tif 000002
【特許請求の範囲】
【請求項１】
サーバ装置と複数の放送受信装置とがネットワークを介して接続された放送受信システムであって、
前記サーバ装置は、予め決められた時刻毎に、放送受信装置の識別情報を登録すると共に、各時刻毎の放送受信装置による電力消費の指標値を登録するデータベースと、
放送受信装置からアクセスがあったときに、該放送受信装置の識別情報が前記データベースに登録されているか否かを判定し、該データベースに識別情報が登録されていないと判定した場合、前記データベースから前記電力消費の指標値が最も小さい時刻を抽出する時刻抽出手段と、
該時刻抽出手段により抽出された時刻を、前記アクセスされた放送受信装置に通知する時刻通知手段とを備え、
前記放送受信装置は、前記サーバ装置から通知された時刻を、放送局から定期的にまたは任意のタイミングで配信される情報を取得する際の起動時刻として設定し、該設定した起動時刻になったときに、スタンバイ状態から起動し、前記放送局から定期的にまたは任意のタイミングで配信される情報を取得することを特徴とする放送受信システム。
【請求項２】
請求項１に記載の放送受信システムにおいて、前記放送局から定期的にまたは任意のタイミングで配信される情報は、番組表情報であることを特徴とする放送受信システム。
【請求項３】
請求項１又は２に記載の放送受信システムにおいて、前記時刻抽出手段は、前記データベースに識別情報が登録されていると判定した場合、前記データベースから前記識別情報を削除した後に、前記データベースから前記電力消費の指標値が最も小さい時刻を抽出することを特徴とする放送受信システム。
【請求項４】
請求項１又は２に記載の放送受信システムにおいて、前記時刻抽出手段は、前記データベースに識別情報が登録されていると判定した場合、前記データベースから前記電力消費の指標値が最も小さい時刻を抽出した後に、前記データベースから前記識別情報を削除することを特徴とする放送受信システム。
【請求項５】
請求項１〜４のいずれか１項に記載の放送受信システムにおいて、前記サーバ装置は、前記アクセスされた放送受信装置の識別情報を、前記データベースの前記電力消費の指標値が最も小さい時刻に登録し、前記データベースを更新するデータベース更新手段を備えたことを特徴とする放送受信システム。
【請求項６】
請求項１〜５のいずれか１項に記載の放送受信システムにおいて、前記電力消費の指標値は、各時刻毎の放送受信装置の登録台数、各時刻毎の各放送受信装置の消費電力を積算した消費電力積算値、各時刻毎の放送受信装置の登録台数を各時刻の電力需要傾向に応じて重み付けした値のいずれかであることを特徴とする放送受信システム。
【請求項７】
請求項１〜６のいずれか１項に記載の放送受信システムにおいて、前記放送受信装置は、該放送受信装置が受信チャンネル設定を含む初期設定を行う際に、前記サーバ装置にアクセスすることを特徴とする放送受信システム。
【請求項８】
請求項１〜７のいずれか１項に記載の放送受信システムを構成するサーバ装置であって、
該サーバ装置は、予め決められた時刻毎に、放送受信装置の識別情報を登録すると共に、各時刻毎の放送受信装置による電力消費の指標値を登録するデータベースと、
放送受信装置からアクセスがあったときに、該放送受信装置の識別情報が前記データベースに登録されているか否かを判定し、該データベースに識別情報が登録されていないと判定した場合、前記データベースから前記電力消費の指標値が最も小さい時刻を抽出する時刻抽出手段と、
該時刻抽出手段により抽出された時刻を、前記アクセスされた放送受信装置に通知する時刻通知手段とを備えたことを特徴とするサーバ装置。
【請求項９】
請求項８に記載のサーバ装置において、前記時刻抽出手段は、前記データベースに識別情報が登録されていると判定した場合、前記データベースから前記識別情報を削除した後に、前記データベースから前記電力消費の指標値が最も小さい時刻を抽出することを特徴とするサーバ装置。
【請求項１０】
請求項８に記載のサーバ装置において、前記時刻抽出手段は、前記データベースに識別情報が登録されていると判定した場合、前記データベースから前記電力消費の指標値が最も小さい時刻を抽出した後に、前記データベースから前記識別情報を削除することを特徴とするサーバ装置。
【発明の詳細な説明】
【技術分野】
【０００１】
本発明は、サーバ装置と複数の放送受信装置とがネットワークを介して接続された放送受信システム及び該システムを構成するサーバ装置に関する。
【背景技術】
【０００２】
テレビジョン装置や、ＢＤ／ＨＤＤレコーダなどの放送受信装置は、番組の視聴や、録画予約操作においてユーザが番組表を参照できるように、事前に番組表情報（例えば、ＳＩ(Service Information)情報など）を取得しておくことが望ましい。このため、従来の放送受信装置は、予め設定された時刻になると、スタンバイ状態から自動的に内部起動し、番組表情報の取得動作を行うように構成されている。
【０００３】
上記の放送受信装置は、工場出荷時に、番組表情報を取得するための起動時刻が初期設定されるが、通常、この起動時刻は同じ時刻に設定される。従って、同じ起動時刻を持つ大量の放送受信装置が市場に供給されることになり、番組表情報取得動作のために、同時刻に多数の放送受信装置が一斉に起動することになる。このため、上記起動時刻に電力消費におけるピーク現象を発生させてしまい、電力供給設備への負担を増大させるという問題があった。
【０００４】
放送受信装置の消費電力を低減する従来技術として、例えば、特許文献１には、遠隔操作端末から入力される受信予約情報の取得に伴う起動回数を低減する放送受信装置が記載されている。この放送受信装置は、遠隔操作端末から送信された受信予約情報を蓄積するサーバ装置と接続される。また、放送受信装置は、通信回線を経由して番組表情報を取得し、取得した番組表情報から番組開始時刻を抽出して、番組開始時刻の直前に起動時刻を設定する。そして、放送受信装置は、設定した起動時刻に起動され、サーバ装置にアクセスして、サーバ装置から受信予約情報を取得する。これにより放送受信装置がサーバ装置から受信予約情報を取得する際に起動する回数を減らして、消費電力を低減するようにしている。
【０００５】
また、特許文献２には、付加情報（番組表情報）の取得に伴う電力負荷を分散させる放送受信装置が記載されている。この放送受信装置は、放送受信装置毎に、ユニークな識別番号を割り当てて、番組表情報を取得する時刻を分散させるように構成されている。具体的には、各放送受信装置のユニークな識別番号毎に、若干の時間差を設けて番組表情報取得時刻を設定する。例えば、識別番号１６ビット中の下位８ビットを用いて、基準時刻−１秒（または＋１秒）から、基準時刻−２５６秒（または＋２５６秒）までの時間差を設け、複数の放送受信装置の電源を順序よくオンして、番組表情報を取得する。これにより、番組表情報の取得時に複数の放送受信装置が一斉に電源オンされることがなく、電力負荷が分散される。
【先行技術文献】
【特許文献】
【０００６】
【特許文献１】特開２０１１−１０１６６号公報
【特許文献２】特開２００２−２７３５３号公報
【発明の概要】
【発明が解決しようとする課題】
【０００７】
上記特許文献１に記載の放送受信装置によれば、番組開始時刻の直前に起動して、サーバ装置から受信予約情報を取得することで、個々の放送受信装置における消費電力の低減を図るようにしている。しかしながら、多数の放送受信装置が同じ番組を受信して録画等を行うことも想定され、この場合、同じ時刻に多数の放送受信装置が一斉に起動してしまい、電力消費のピークを発生させてしまうという問題がある。
【０００８】
また、上記特許文献２に記載の放送受信装置によれば、各放送受信装置の識別番号によって、番組表情報を取得する際の起動時刻に若干の時間差を設けることができるため、番組表情報の取得に伴う起動タイミングをある程度分散化させることができる。しかしながら、市場に大量に供給された放送受信装置に対して、起動時刻毎に番組表情報取得に伴う電力消費の状態が一括管理されているわけではない。このため、ある放送受信装置の識別番号で特定される起動時刻の電力消費が大きくても小さくても、放送受信装置にはこの起動時刻が自動的に設定され、番組表情報取得動作を実行してしまう。従って、同時刻に多数の放送受信装置が一斉に起動する事態を招来し、電力消費のピークを発生させる可能性がある。
【０００９】
本発明は、上述のような実情に鑑みてなされたもので、市場に供給された多数の放送受信装置による番組表情報等の取得動作の際に電力消費のピークが発生しないように電力負荷を分散させ、電力供給設備への負担軽減を図ることができる放送受信システム及び該システムを構成するサーバ装置を提供すること、を目的とする。
【課題を解決するための手段】
【００１０】
上記課題を解決するために、本発明の第１の技術手段は、サーバ装置と複数の放送受信装置とがネットワークを介して接続された放送受信システムであって、前記サーバ装置は、予め決められた時刻毎に、放送受信装置の識別情報を登録すると共に、各時刻毎の放送受信装置による電力消費の指標値を登録するデータベースと、放送受信装置からアクセスがあったときに、該放送受信装置の識別情報が前記データベースに登録されているか否かを判定し、該データベースに識別情報が登録されていないと判定した場合、前記データベースから前記電力消費の指標値が最も小さい時刻を抽出する時刻抽出手段と、該時刻抽出手段により抽出された時刻を、前記アクセスされた放送受信装置に通知する時刻通知手段とを備え、前記放送受信装置は、前記サーバ装置から通知された時刻を、放送局から定期的にまたは任意のタイミングで配信される情報を取得する際の起動時刻として設定し、該設定した起動時刻になったときに、スタンバイ状態から起動し、前記放送局から定期的にまたは任意のタイミングで配信される情報を取得することを特徴としたものである。
【００１１】
第２の技術手段は、第１の技術手段において、前記放送局から定期的にまたは任意のタイミングで配信される情報は、番組表情報であることを特徴としたものである。
【００１２】
第３の技術手段は、第１又は第２の技術手段において、前記時刻抽出手段は、前記データベースに識別情報が登録されていると判定した場合、前記データベースから前記識別情報を削除した後に、前記データベースから前記電力消費の指標値が最も小さい時刻を抽出することを特徴としたものである。
【００１３】
第４の技術手段は、第１又は第２の技術手段において、前記時刻抽出手段は、前記データベースに識別情報が登録されていると判定した場合、前記データベースから前記電力消費の指標値が最も小さい時刻を抽出した後に、前記データベースから前記識別情報を削除することを特徴としたものである。
【００１４】
第５の技術手段は、第１〜第４のいずれか１の技術手段において、前記サーバ装置は、前記アクセスされた放送受信装置の識別情報を、前記データベースの前記電力消費の指標値が最も小さい時刻に登録し、前記データベースを更新するデータベース更新手段を備えたことを特徴としたものである。
【００１５】
第６の技術手段は、第１〜第５のいずれか１の技術手段において、前記電力消費の指標値は、各時刻毎の放送受信装置の登録台数、各時刻毎の各放送受信装置の消費電力を積算した消費電力積算値、各時刻毎の放送受信装置の登録台数を各時刻の電力需要傾向に応じて重み付けした値のいずれかであることを特徴としたものである。
【００１６】
第７の技術手段は、第１〜第６のいずれか１の技術手段において、前記放送受信装置は、該放送受信装置が受信チャンネル設定を含む初期設定を行う際に、前記サーバ装置にアクセスすることを特徴としたものである。
【００１７】
第８の技術手段は、第１〜第７のいずれか１の技術手段における放送受信システムを構成するサーバ装置であって、該サーバ装置は、予め決められた時刻毎に、放送受信装置の識別情報を登録すると共に、各時刻毎の放送受信装置による電力消費の指標値を登録するデータベースと、放送受信装置からアクセスがあったときに、該放送受信装置の識別情報が前記データベースに登録されているか否かを判定し、該データベースに識別情報が登録されていないと判定した場合、前記データベースから前記電力消費の指標値が最も小さい時刻を抽出する時刻抽出手段と、該時刻抽出手段により抽出された時刻を、前記アクセスされた放送受信装置に通知する時刻通知手段とを備えたことを特徴としたものである。
【００１８】
第９の技術手段は、第８の技術手段において、前記時刻抽出手段は、前記データベースに識別情報が登録されていると判定した場合、前記データベースから前記識別情報を削除した後に、前記データベースから前記電力消費の指標値が最も小さい時刻を抽出することを特徴としたものである。
【００１９】
第１０の技術手段は、第８の技術手段において、前記時刻抽出手段は、前記データベースに識別情報が登録されていると判定した場合、前記データベースから前記電力消費の指標値が最も小さい時刻を抽出した後に、前記データベースから前記識別情報を削除することを特徴としたものである。
【発明の効果】
【００２０】
本発明によれば、予め決められた時刻毎に放送受信装置による電力消費の指標値（登録台数など）をサーバ装置で一括管理し、サーバ装置にアクセスされた放送受信装置に対して、電力消費の指標値が最も小さい時刻を、番組表情報等の取得の際の起動時刻として設定することができるため、市場に供給された多数の放送受信装置による番組表情報等の取得動作の際に電力消費のピークが発生しないように電力負荷を分散させ、電力供給設備への負担軽減を図ることができる。
【図面の簡単な説明】
【００２１】
【図１】本発明の第１の実施形態に係る放送受信システムの構成例を示すブロック図である。
【図２】第１の起動時刻データベースの登録例を示す図である。
【図３】図１の放送受信システムによる番組表情報取得の際の起動時刻設定処理の一例を説明するためのフロー図である。
【図４】本発明の第２の実施形態に係る放送受信システムの構成例を示すブロック図である。
【図５】第２の起動時刻データベースの登録例を示す図である。
【図６】図４の放送受信システムによる番組表情報取得の際の起動時刻設定処理の一例を説明するためのフロー図である。
【図７】本発明の第３の実施形態に係る放送受信システムの構成例を示すブロック図である。
【図８】第３の起動時刻データベースの登録例を示す図である。
【図９】図７の放送受信システムによる番組表情報取得の際の起動時刻設定処理の一例を説明するためのフロー図である。
【発明を実施するための形態】
【００２２】
以下、添付図面を参照しながら、本発明の放送受信システム及び該システムを構成するサーバ装置に係る好適な実施の形態について説明する。なお、放送局から定期的にまたは任意のタイミングで配信される情報として、放送局から配信される番組表情報を例示して説明するが、本発明は、この番組表情報に限定されるものではなく、番組表情報のように、放送局から定期的にまたは任意のタイミングで配信される情報であれば、適用することができる。
【００２３】
（第１の実施形態）
図１は、本発明の第１の実施形態に係る放送受信システムの構成例を示すブロック図で、図中、１０はサーバ装置、２０は放送受信装置を示す。サーバ装置１０は、外部通信手段１１、制御手段１２、及び第１の起動時刻データベース１３を備えて構成される。また、放送受信装置２０は、受信手段２１、番組表情報抽出手段２２、番組表情報記憶手段２３、計時手段２４、設定記憶手段２５、時刻比較手段２６、番組表情報取得指示手段２７、外部通信手段２８、操作手段２９、及び表示手段３０を備えて構成される。このサーバ装置１０は、放送受信装置２０と図示しないネットワークを介して接続されているが、複数の放送受信装置２０と接続できることは言うまでもない。
【００２４】
放送受信装置２０は、テレビジョン受信装置（ＴＶ装置）、ＢＤ／ＨＤＤレコーダなどのチューナ機能を備えたものであればよいが、以下ではＴＶ装置を例示して説明するものとする。また、番組表情報としては、放送局から提供される地上デジタル放送のＳＩ（Service Information）情報を例示して説明する。サーバ装置１０の第１の起動時刻データベース１３（以下、単に第１のＤＢ１３という）は、本発明のデータベースに相当し、予め決められた時刻毎に、放送受信装置の識別情報を登録すると共に、各時刻毎の放送受信装置による電力消費の指標値を登録する。この電力消費の指標値は、例えば、放送受信装置の登録台数であり、この場合の第１のＤＢ１３の登録例を図２に示す。
【００２５】
図２に示すように、第１のＤＢ１３では、例えば、０時０分、０時５分、・・・、２３時５５分と１日２４時間を５分ステップで区切り、区切られた各時刻毎に、放送受信装置の識別情報が登録され、この識別情報の個数をカウントして得られる装置の台数（登録台数）が電力消費の指標値として登録される。なお、放送受信装置の識別情報としては、例えば、イーサネット（登録商標）ＭＡＣアドレスなどを利用することができる。このＭＡＣアドレスは、イーサネット上の各機器を区別するために、製造段階で割り振られる機器固有の４８ビットのアドレスである。
【００２６】
上記において、放送受信装置の登録台数が最も少ない時刻は、消費電力が最も小さい時刻と推定される。このため、サーバ装置１０は、放送受信装置２０からのアクセスを検出した場合に、放送受信装置２０に対して、放送受信装置の登録台数が最も少ない時刻を割り当てる。具体的には、以下のようにして割り当てる。
【００２７】
制御手段１２は、本発明の時刻抽出手段に相当し、放送受信装置２０からアクセスがあったときに、放送受信装置２０の識別情報が第１のＤＢ１３に登録されているか否かを判定し、第１のＤＢ１３に識別情報が登録されていないと判定した場合、第１のＤＢ１３から、登録台数が最も少ない時刻を抽出する。また、制御手段１２は、第１のＤＢ１３に放送受信装置２０の識別情報が登録されていると判定した場合、第１のＤＢ１３から識別情報を削除した後に、第１のＤＢ１３から登録台数が最も少ない時刻を抽出する。これにより、重複登録を防止することができる。ここで、第１のＤＢ１３から識別情報を削除することで、その時刻の登録台数に変更が発生する。このため、第１のＤＢ１３を更新し、登録台数を最新の状態にしてから、第１のＤＢ１３から登録台数が最も少ない時刻を抽出すればよい。
【００２８】
また、上記とは逆に、第１のＤＢ１３に放送受信装置２０の識別情報が登録されている場合、第１のＤＢ１３から登録台数が最も少ない時刻を抽出した後に、第１のＤＢ１３から識別情報を削除するようにしてもよい。
【００２９】
上記において、登録台数の最も少ない時刻が複数存在する場合には、例えば、時刻の早いほうを抽出するようにすればよい。仮に第１のＤＢ１３が、各時刻に放送受信装置の識別情報が１つも登録されていない未登録状態にある場合には、最も早い時刻（図２の例では、０時０分）が抽出される。
【００３０】
そして、外部通信手段１１は、本発明の時刻通知手段に相当し、制御手段１２により抽出された時刻を、アクセスされた放送受信装置２０に通知する。放送受信装置２０は、サーバ装置１０から通知された時刻を、番組表情報取得の際の起動時刻として設定し、この設定が完了すると、設定完了通知をサーバ装置１０に送信する。サーバ装置１０は、放送受信装置２０からの設定完了通知に応じて、放送受信装置２０の識別情報を、第１のＤＢ１３の登録台数が最も少ない時刻（つまり、第１のＤＢ１３から抽出した時刻）に登録し、第１のＤＢ１３を更新する。この更新処理は制御手段１２により実行され、制御手段１２が本発明のデータベース更新手段に相当する。
【００３１】
以後、放送受信装置２０は、上記のようにして設定した起動時刻になったときに、スタンバイ状態から起動し、放送局から提供される番組表情報を取得する。このように、サーバ装置１０により、予め決められた時刻毎に放送受信装置による電力消費の指標値（ここでは登録台数）を一括管理し、アクセスされた放送受信装置２０に対して、登録台数が最も少ない時刻を、番組表情報取得の際の起動時刻として設定することができるため、市場に供給された多数の放送受信装置による番組表情報取得動作の際に電力消費のピークが発生しないように電力負荷を分散させ、電力供給設備への負担軽減を図ることができる。
【００３２】
図１において、例えば、放送受信装置２０をユーザが初めて使用するときに、受信チャンネル設定を含む初期設定を行うが、この初期設定を行うタイミングで、外部通信手段２８を介してサーバ装置１０にアクセスするようにしてもよい。なお、このサーバ装置１０にアクセスするタイミングは、ユーザが初めて使用するときの初期設定時だけに限らず、ユーザが初期設定をやり直す場合、あるいは、ユーザが意識して起動時刻を再設定する場合、などのタイミングでサーバ装置１０にアクセスするようにしてもよい。
【００３３】
そして、放送受信装置２０は、サーバ装置１０から、放送受信装置の登録台数が最も少ない時刻を取得し、取得した時刻を、番組表情報を取得する際の起動時刻として設定記憶手段２５に記憶する。この設定記憶手段２５は、例えば、不揮発性のメモリなどである。計時手段２４は、放送受信装置２０の内蔵時計であり、放送受信装置２０がスタンバイ状態であっても通電され、時刻を計時する。時刻比較手段２６は、計時手段２４で計時される時刻と、設定記憶手段２５に記憶されている起動時刻とを比較し、計時手段２４で計時される時刻が起動時刻になったときに、番組表情報取得指示手段２７に対して、番組表情報の取得を指示する。
【００３４】
番組表情報取得指示手段２７は、時刻比較手段２６からの指示に応じて、受信手段２１、番組表情報抽出手段２２、及び番組表情報記憶手段２３に指示を行い、番組表情報の取得動作を行う。受信手段２１は、番組表情報を含むデジタル放送信号を受信して、このデジタル放送信号を番組表情報抽出手段２２に出力する。番組表情報抽出手段２２は、受信手段２１で受信したデジタル放送信号から番組表情報を抽出し、抽出した番組表情報を番組表情報記憶手段２３に出力する。番組表情報記憶手段２３は、例えば、不揮発性のメモリであり、番組表情報抽出手段２２で抽出された番組表情報を記憶する。表示手段２０は、例えば、液晶ディスプレイなどの表示部であり、操作手段１９は、放送受信装置２０に対して入力操作を行うための操作部である。
【００３５】
図３は、図１の放送受信システムによる番組表情報取得の際の起動時刻設定処理の一例を説明するためのフロー図である。まず、放送受信装置２０は、受信チャンネル設定を含む初期設定時に、サーバ装置１０にアクセスし（ステップＳ１）、サーバ装置１０は、放送受信装置２０の識別情報（イーサネットＭＡＣアドレスなど）を取得する（ステップＳ２）。
【００３６】
次に、サーバ装置１０は、ステップＳ２で取得した放送受信装置２０の識別情報が第１のＤＢ１３（図２参照）に登録されているか否かを判定し（ステップＳ３）、第１のＤＢ１３に識別情報が登録されていると判定した場合（ＹＥＳの場合）、第１のＤＢ１３から識別情報を削除する（ステップＳ４）。また、第１のＤＢ１３に識別情報が登録されていないと判定した場合（ＮＯの場合）、ステップＳ５に移行する。
【００３７】
そして、サーバ装置１０は、第１のＤＢ１３を検索し、最も登録台数の少ない時刻を抽出し（ステップＳ５）、抽出した時刻を放送受信装置２０に通知する（ステップＳ６）。放送受信装置２０は、サーバ装置１０から通知された時刻を、番組表情報を取得する際の起動時刻として設定し（ステップＳ７）、設定完了通知をサーバ装置１０に送信する（ステップＳ８）。なお、第１のＤＢ１３に識別情報が登録されている場合（ステップＳ３のＹＥＳの場合）、第１のＤＢ１３から登録台数が最も少ない時刻を抽出した後に、第１のＤＢ１３から識別情報を削除するようにしてもよい。
【００３８】
次に、サーバ装置１０は、放送受信装置２０からの設定完了通知に応じて、第１のＤＢ１３の上記時刻（登録台数の最も少ない時刻）に放送受信装置２０の識別情報を登録し（ステップＳ９）、第１のＤＢ１３を更新する（ステップＳ１０）。以後、放送受信装置２０は、ステップＳ７で設定した起動時刻になる度に、スタンバイ状態から起動され、番組表情報の取得動作を行う。なお、ステップＳ９において、サーバ装置１０が放送受信装置２０から設定完了通知を受け取れない場合には、第１のＤＢ１３を更新することができない。このため、例えば、設定完了通知を受信するための所定の待機時間が経過した後に、放送受信装置２０から取得した識別情報を第１のＤＢ１３に登録する処理を行うようにしてもよい。あるいは、ステップＳ３で第１のＤＢ１３に登録済みと判定された識別情報の場合、ステップＳ４で一旦削除した識別情報を復活させ、第１のＤＢ１３に再登録する処理を行うようにしてもよい。
【００３９】
このように、市場に大量に供給された放送受信装置は、サーバ装置１０から分散的に割り当てられた時刻を、番組表情報を取得する際の起動時刻として設定し、この起動時刻に起動されて、番組表情報取得動作を行うため、番組表情報取得時における電力消費が分散化され、電力供給設備への負担を大幅に軽減することができる。
【００４０】
（第２の実施形態）
図４は、本発明の第２の実施形態に係る放送受信システムの構成例を示すブロック図である。本実施形態のサーバ装置１０は、外部通信手段１１、制御手段１２、及び第２の起動時刻データデース１４（以下、単に第２のＤＢ１４という）を備えて構成される。放送受信装置２０の構成は第１の実施形態と同じであるため、ここでの説明は省略する。本実施形態では、電力消費の指標値として、各時刻毎の放送受信装置の消費電力を積算した消費電力積算値を用いており、これ以外の構成は第１の実施形態と同様である。本実施形態における第２のＤＢ１４の登録例を図５に示す。
【００４１】
図５に示すように、第２のＤＢ１４では、例えば、０時０分、０時５分、・・・、２３時５５分と１日２４時間を５分ステップで区切り、区切られた各時刻毎に、放送受信装置の識別情報及び消費電力が登録され、各時刻毎に各放送受信装置の消費電力が積算された消費電力積算値（図５の積算電力に相当）が電力消費の指標値として登録される。つまり、第２のＤＢ１４には、各放送受信装置毎の消費電力が登録されると共に、各時刻毎の各放送受信装置の消費電力に基づく消費電力積算値が登録される。
【００４２】
なお、各放送受信装置毎の消費電力データは、サーバ装置１０が放送受信装置２０から識別情報と共に取得してもよいし、あるいは、放送受信装置２０から機器を特定できる機器名（型番）などを取得できる場合には、予めサーバ装置１０側に消費電力データを保持しておいてもよい。すなわち、サーバ装置１０が機器名と消費電力データとを対応付けたデータテーブル（図示せず）を備え、このデータテーブルから、放送受信装置２０から取得される機器名に応じた消費電力データを取得すればよい。
【００４３】
上記において、放送受信装置の消費電力積算値が最も小さい時刻は、消費電力が最も小さい時刻と考えられる。このため、サーバ装置１０は、放送受信装置２０からのアクセスを検出した場合に、放送受信装置２０に対して、放送受信装置の消費電力積算値が最も小さい時刻を割り当てる。具体的には、以下のようにして割り当てる。
【００４４】
制御手段１２は、放送受信装置２０からアクセスがあったときに、放送受信装置２０の識別情報が第２のＤＢ１４に登録されているか否かを判定し、第２のＤＢ１４に識別情報が登録されていないと判定した場合、第２のＤＢ１４から、消費電力積算値が最も小さい時刻を抽出する。また、制御手段１２は、第２のＤＢ１４に放送受信装置２０の識別情報が登録されていると判定した場合、第２のＤＢ１４から識別情報を削除した後に、第２のＤＢ１４から消費電力積算値が最も小さい時刻を抽出する。これにより、重複登録を防止することができる。ここで、第２のＤＢ１４から識別情報を削除することで、その時刻の消費電力積算値に変更が発生する。このため、第２のＤＢ１４を更新し、消費電力積算値を最新の状態にしてから、第２のＤＢ１４から消費電力積算値が最も小さい時刻を抽出すればよい。
【００４５】
また、上記とは逆に、第２のＤＢ１４に放送受信装置２０の識別情報が登録されている場合、第２のＤＢ１４から消費電力積算値が最も小さい時刻を抽出した後に、第２のＤＢ１４から識別情報を削除するようにしてもよい。
【００４６】
そして、外部通信手段１１は、制御手段１２により抽出された時刻を、アクセスされた放送受信装置２０に通知する。放送受信装置２０は、サーバ装置１０から通知された時刻を、番組表情報取得の際の起動時刻として設定し、この設定が完了すると、設定完了通知をサーバ装置１０に送信する。サーバ装置１０は、放送受信装置２０からの設定完了通知に応じて、放送受信装置２０の識別情報を、第２のＤＢ１４の消費電力積算値が最も小さい時刻（つまり、第２のＤＢ１４から抽出した時刻）に登録し、第２のＤＢ１４を更新する。
【００４７】
以後、放送受信装置２０は、上記のようにして設定した起動時刻になったときに、スタンバイ状態から起動し、番組表情報を取得する。このように、サーバ装置１０により、予め決められた時刻毎に放送受信装置による電力消費の指標値（ここでは電力消費積算値）を一括管理し、アクセスされた放送受信装置２０に対して、電力消費積算値が最も小さい時刻を、番組表情報取得の際の起動時刻として設定することができるため、市場に供給された多数の放送受信装置による番組表情報取得動作の際に電力消費のピークが発生しないように電力負荷を分散させ、電力供給設備への負担軽減を図ることができる。
【００４８】
図６は、図４の放送受信システムによる番組表情報取得の際の起動時刻設定処理の一例を説明するためのフロー図である。まず、放送受信装置２０は、受信チャンネル設定を含む初期設定時に、サーバ装置１０にアクセスし（ステップＳ１１）、サーバ装置１０は、放送受信装置２０の識別情報（イーサネットＭＡＣアドレスなど）を取得する（ステップＳ１２）。
【００４９】
次に、サーバ装置１０は、ステップＳ１２で取得した放送受信装置２０の識別情報が第２のＤＢ１４（図５参照）に登録されているか否かを判定し（ステップＳ１３）、第２のＤＢ１４に識別情報が登録されていると判定した場合（ＹＥＳの場合）、第２のＤＢ１４から識別情報を削除する（ステップＳ１４）。また、第２のＤＢ１４に識別情報が登録されていないと判定した場合（ＮＯの場合）、ステップＳ１５に移行する。
【００５０】
そして、サーバ装置１０は、第２のＤＢ１４を検索し、最も消費電力積算値の小さい時刻を抽出し（ステップＳ１５）、抽出した時刻を放送受信装置２０に通知する（ステップＳ１６）。放送受信装置２０は、サーバ装置１０から通知された時刻を、番組表情報を取得する際の起動時刻として設定し（ステップＳ１７）、設定完了通知をサーバ装置１０に送信する（ステップＳ１８）。なお、第２のＤＢ１４に識別情報が登録されている場合（ステップＳ１３のＹＥＳの場合）、第２のＤＢ１４から消費電力積算値が最も小さい時刻を抽出した後に、第２のＤＢ１４から識別情報を削除するようにしてもよい。
【００５１】
次に、サーバ装置１０は、放送受信装置２０からの設定完了通知に応じて、第２のＤＢ１４の上記時刻（消費電力積算値の最も小さい時刻）に放送受信装置２０の識別情報（及び消費電力データ）を登録し（ステップＳ１９）、第２のＤＢ１４を更新する（ステップＳ２０）。以後、放送受信装置２０は、ステップＳ１７で設定した起動時刻になる度に、スタンバイ状態から起動され、番組表情報の取得動作を行う。なお、ステップＳ１９において、サーバ装置１０が放送受信装置２０から設定完了通知を受け取れない場合には、第２のＤＢ１４を更新することができない。このため、例えば、設定完了通知を受信するための所定の待機時間が経過した後に、放送受信装置２０から取得した識別情報を第２のＤＢ１４に登録する処理を行うようにしてもよい。あるいは、ステップＳ１３で第２のＤＢ１４に登録済みと判定された識別情報の場合、ステップＳ１４で一旦削除した識別情報を復活させ、第２のＤＢ１４に再登録する処理を行うようにしてもよい。
【００５２】
（第３の実施形態）
図７は、本発明の第３の実施形態に係る放送受信システムの構成例を示すブロック図である。本実施形態のサーバ装置１０は、外部通信手段１１、制御手段１２、及び第３の起動時刻データデース１５（以下、単に第３のＤＢ１５という）を備えて構成される。放送受信装置２０の構成は第１の実施形態と同じであるため、ここでの説明は省略する。本実施形態では、電力消費の指標値として、各時刻毎の放送受信装置の登録台数を各時刻の電力需要傾向に応じて重み付けした値を用いており、これ以外の構成は第１の実施形態と同様である。本実施形態における第３のＤＢ１５の登録例を図８に示す。
【００５３】
図８に示すように、第３のＤＢ１５では、例えば、０時０分、０時５分、・・・、２３時５５分と１日２４時間を５分ステップで区切り、区切られた各時刻毎に、放送受信装置の識別情報及び電力需要係数（電力需要傾向に応じた重み付け係数）が登録され、この識別情報の個数をカウントして得られる装置の台数に電力需要係数を乗じた重み付け値が電力消費の指標値として登録される。つまり、第３のＤＢ１５には、各時刻毎の電力需要係数が登録されると共に、各時刻毎の放送受信装置の登録台数に電力需要係数を乗じて得られる重み付け値が登録される。
【００５４】
なお、各時刻の電力需要係数は、平均電力需要ピーク時を１．０として各時刻毎に予め設定される係数であり、各時刻毎の放送受信装置の登録台数にこの電力需要係数を乗じた重み付け値が最も小さい時刻は、消費電力が最も小さい時刻と推定される。このため、サーバ装置１０は、放送受信装置２０からのアクセスを検出した場合に、放送受信装置２０に対して、上記の重み付け値が最も小さい時刻を割り当てる。具体的には、以下のようにして割り当てる。
【００５５】
制御手段１２は、放送受信装置２０からアクセスがあったときに、放送受信装置２０の識別情報が第３のＤＢ１５に登録されているか否かを判定し、第３のＤＢ１５に識別情報が登録されていないと判定した場合、第３のＤＢ１５から、重み付け値（登録台数×電力需要係数）が最も小さい時刻を抽出する。また、制御手段１２は、第３のＤＢ１５に放送受信装置２０の識別情報が登録されていると判定した場合、第３のＤＢ１５から識別情報を削除した後に、第３のＤＢ１５から重み付け値（登録台数×電力需要係数）が最も小さい時刻を抽出する。これにより、重複登録を防止することができる。ここで、第３のＤＢ１５から識別情報を削除することで、その時刻の重み付け値に変更が発生する。このため、第３のＤＢ１５を更新し、重み付け値を最新の状態にしてから、第３のＤＢ１５から重み付け値が最も小さい時刻を抽出すればよい。
【００５６】
また、上記とは逆に、第３のＤＢ１５に放送受信装置２０の識別情報が登録されている場合、第３のＤＢ１５から重み付け値が最も小さい時刻を抽出した後に、第３のＤＢ１５から識別情報を削除するようにしてもよい。
【００５７】
そして、外部通信手段１１は、制御手段１２により抽出された時刻を、アクセスされた放送受信装置２０に通知する。放送受信装置２０は、サーバ装置１０から通知された時刻を、番組表情報取得の際の起動時刻として設定し、この設定が完了すると、設定完了通知をサーバ装置１０に送信する。サーバ装置１０は、放送受信装置２０からの設定完了通知に応じて、放送受信装置２０の識別情報を、第３のＤＢ１５の重み付け値（登録台数×電力需要係数）が最も小さい時刻（つまり、第３のＤＢ１５から抽出した時刻）に登録し、第３のＤＢ１５を更新する。
【００５８】
以後、放送受信装置２０は、上記のようにして設定した起動時刻になったときに、スタンバイ状態から起動し、番組表情報を取得する。このように、サーバ装置１０により、予め決められた時刻毎に放送受信装置による電力消費の指標値（ここでは重み付け値（登録台数×電力需要係数））を一括管理し、アクセスされた放送受信装置２０に対して、重み付け値が最も小さい時刻を、番組表情報取得の際の起動時刻として設定することができるため、市場に供給された多数の放送受信装置による番組表情報取得動作の際に電力消費のピークが発生しないように電力負荷を分散させ、電力供給設備への負担軽減を図ることができる。
【００５９】
図９は、図７の放送受信システムによる番組表情報取得の際の起動時刻設定処理の一例を説明するためのフロー図である。まず、放送受信装置２０は、受信チャンネル設定を含む初期設定時に、サーバ装置１０にアクセスし（ステップＳ２１）、サーバ装置１０は、放送受信装置２０の識別情報（イーサネットＭＡＣアドレスなど）を取得する（ステップＳ２２）。
【００６０】
次に、サーバ装置１０は、ステップＳ２２で取得した放送受信装置２０の識別情報が第３のＤＢ１５（図８参照）に登録されているか否かを判定し（ステップＳ２３）、第３のＤＢ１５に識別情報が登録されていると判定した場合（ＹＥＳの場合）、第３のＤＢ１５から識別情報を削除する（ステップＳ２４）。また、第３のＤＢ１５に識別情報が登録されていないと判定した場合（ＮＯの場合）、ステップＳ２５に移行する。
【００６１】
そして、サーバ装置１０は、第３のＤＢ１５を検索し、最も重み付け値（登録台数×電力需要係数）の小さい時刻を抽出し（ステップＳ２５）、抽出した時刻を放送受信装置２０に通知する（ステップＳ２６）。放送受信装置２０は、サーバ装置１０から通知された時刻を、番組表情報を取得する際の起動時刻として設定し（ステップＳ２７）、設定完了通知をサーバ装置１０に送信する（ステップＳ２８）。なお、第３のＤＢ１５に識別情報が登録されている場合（ステップＳ２３のＹＥＳの場合）、第３のＤＢ１５から重み付け値が最も小さい時刻を抽出した後に、第３のＤＢ１５から識別情報を削除するようにしてもよい。
【００６２】
次に、サーバ装置１０は、放送受信装置２０からの設定完了通知に応じて、第３のＤＢ１５の上記時刻（重み付け値（登録台数×電力需要係数）の最も小さい時刻）に放送受信装置２０の識別情報を登録し（ステップＳ２９）、第３のＤＢ１５を更新する（ステップＳ３０）。以後、放送受信装置２０は、ステップＳ２７で設定した起動時刻になる度に、スタンバイ状態から起動され、番組表情報の取得動作を行う。なお、ステップＳ２９において、サーバ装置１０が放送受信装置２０から設定完了通知を受け取れない場合には、第３のＤＢ１５を更新することができない。このため、例えば、設定完了通知を受信するための所定の待機時間が経過した後に、放送受信装置２０から取得した識別情報を第３のＤＢ１５に登録する処理を行うようにしてもよい。あるいは、ステップＳ２３で第３のＤＢ１５に登録済みと判定された識別情報の場合、ステップＳ２４で一旦削除した識別情報を復活させ、第３のＤＢ１５に再登録する処理を行うようにしてもよい。
【００６３】
以上、本発明に係る放送受信システム及びサーバ装置の実施の形態を中心に説明したが、本発明は、前述の図３、図６、図９で説明したように、放送受信システムによる番組表情報取得の際の起動時刻設定方法としての形態としてもよいことは言うまでもよい。
【符号の説明】
【００６４】
１０…サーバ装置、１１，２８…外部通信手段、１２…制御手段、１３…第１の起動時刻データベース、１４…第２の起動時刻データベース、１５…第３の起動時刻データベース、２０…放送受信装置、２１…受信手段、２２…番組表情報抽出手段、２３…番組表情報記憶手段、２４…計時手段、２５…設定記憶手段、２６…時刻比較手段、２７…番組表情報取得指示手段、２９…操作手段、３０…表示手段。
【図１】
2012253546.tif 000003
【図２】
2012253546.tif 000004
【図３】
2012253546.tif 000005
【図４】
2012253546.tif 000006
【図５】
2012253546.tif 000007
【図６】
2012253546.tif 000008
【図７】
2012253546.tif 000009
【図８】
2012253546.tif 000010
【図９】
2012253546.tif 000011
【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
サーバ装置と複数の放送受信装置とがネットワークを介して接続された放送受信システムであって、
前記サーバ装置は、予め決められた時刻に対応付けて、放送受信装置の識別情報と、各時刻毎の放送受信装置による電力消費の指標値とを登録するデータベースと、
放送受信装置からアクセスがあったときに、該放送受信装置の識別情報が前記データベースに登録されているか否かを判定し、識別情報が未登録の放送受信装置であると判定した場合、前記データベースから前記電力消費の指標値が最も小さい時刻を抽出する時刻抽出手段と、
該時刻抽出手段により抽出された時刻を、前記アクセスされた未登録の放送受信装置に通知する時刻通知手段と、
前記アクセスされた未登録の放送受信装置の識別情報を、前記データベースの前記電力消費の指標値が最も小さい時刻に登録し、前記データベースの前記電力消費の指標値を更新するデータベース更新手段とを備え、
前記電力消費の指標値は、各時刻毎の放送受信装置の登録台数、各時刻毎の各放送受信装置の消費電力を積算した消費電力積算値、各時刻毎の放送受信装置の登録台数に各時刻の電力需要係数を乗じて算出される重み付け値のいずれかであり、
前記放送受信装置は、前記サーバ装置から通知された時刻を、放送局から定期的にまたは任意のタイミングで配信される情報を取得する際の起動時刻として設定し、該設定した起動時刻になったときに、スタンバイ状態から起動し、前記放送局から定期的にまたは任意のタイミングで配信される情報を取得することを特徴とする放送受信システム。
【請求項２】
請求項１に記載の放送受信システムにおいて、前記放送局から定期的にまたは任意のタイミングで配信される情報は、番組表情報であることを特徴とする放送受信システム。
【請求項３】
請求項１又は２に記載の放送受信システムにおいて、前記時刻抽出手段は、前記データベースにアクセスされた放送受信装置の識別情報が登録済みであると判定した場合、前記データベースから前記登録済みの識別情報を削除し、前記データベース更新手段が前記データベースの前記電力消費の指標値を更新した後に、前記データベースから前記電力消費の指標値が最も小さい時刻を抽出し、前記時刻通知手段は、前記時刻抽出手段により抽出された時刻を前記識別情報が登録済みの放送受信装置に通知し、前記データベース更新手段は、前記削除した識別情報を前記電力消費の指標値が最も小さい時刻に対応付けて前記データベースに登録し、該データベースの前記電力消費の指標値を最新の状態に更新することを特徴とする放送受信システム。
【請求項４】
請求項１又は２に記載の放送受信システムにおいて、前記時刻抽出手段は、前記データベースにアクセスされた放送受信装置の識別情報が登録済みであると判定した場合、前記データベースから前記電力消費の指標値が最も小さい時刻を抽出した後に、前記データベースから前記登録済みの識別情報を削除し、前記時刻通知手段は、前記時刻抽出手段により抽出された時刻を前記識別情報が登録済みの放送受信装置に通知し、前記データベース更新手段は、前記削除した識別情報を前記電力消費の指標値が最も小さい時刻に対応付けて前記データベースに登録し、該データベースの前記電力消費の指標値を最新の状態に更新することを特徴とする放送受信システム。
【請求項５】
請求項１〜４のいずれか１項に記載の放送受信システムにおいて、前記放送受信装置は、該放送受信装置が受信チャンネル設定を含む初期設定を行う際に、前記サーバ装置にアクセスすることを特徴とする放送受信システム。
【請求項６】
請求項１〜５のいずれか１項に記載の放送受信システムを構成するサーバ装置であって、該サーバ装置は、予め決められた時刻に対応付けて、放送受信装置の識別情報と、各時刻毎の放送受信装置による電力消費の指標値とを登録するデータベースと、
放送受信装置からアクセスがあったときに、該放送受信装置の識別情報が前記データベースに登録されているか否かを判定し、識別情報が未登録の放送受信装置であると判定した場合、前記データベースから前記電力消費の指標値が最も小さい時刻を抽出する時刻抽出手段と、
該時刻抽出手段により抽出された時刻を、前記アクセスされた未登録の放送受信装置に通知する時刻通知手段と、
前記アクセスされた未登録の放送受信装置の識別情報を、前記データベースの前記電力消費の指標値が最も小さい時刻に登録し、前記データベースの前記電力消費の指標値を更新するデータベース更新手段とを備え、
前記電力消費の指標値は、各時刻毎の放送受信装置の登録台数、各時刻毎の各放送受信装置の消費電力を積算した消費電力積算値、各時刻毎の放送受信装置の登録台数に各時刻の電力需要係数を乗じて算出される重み付け値のいずれかであることを特徴とするサーバ装置。
【請求項７】
請求項６に記載のサーバ装置において、前記時刻抽出手段は、前記データベースにアクセスされた放送受信装置の識別情報が登録済みであると判定した場合、前記データベースから前記登録済みの識別情報を削除し、前記データベース更新手段が前記データベースの前記電力消費の指標値を更新した後に、前記データベースから前記電力消費の指標値が最も小さい時刻を抽出し、前記時刻通知手段は、前記時刻抽出手段により抽出された時刻を前記識別情報が登録済みの放送受信装置に通知し、前記データベース更新手段は、前記削除した識別情報を前記電力消費の指標値が最も小さい時刻に対応付けて前記データベースに登録し、該データベースの前記電力消費の指標値を最新の状態に更新することを特徴とするサーバ装置。
【請求項８】
請求項６に記載のサーバ装置において、前記時刻抽出手段は、前記データベースにアクセスされた放送受信装置の識別情報が登録済みであると判定した場合、前記データベースから前記電力消費の指標値が最も小さい時刻を抽出した後に、前記データベースから前記登録済みの識別情報を削除し、前記時刻通知手段は、前記時刻抽出手段により抽出された時刻を前記識別情報が登録済みの放送受信装置に通知し、前記データベース更新手段は、前記削除した識別情報を前記電力消費の指標値が最も小さい時刻に対応付けて前記データベースに登録し、該データベースの前記電力消費の指標値を最新の状態に更新することを特徴とするサーバ装置。
【手続補正２】
【補正対象書類名】明細書
【補正対象項目名】００１０
【補正方法】変更
【補正の内容】
【００１０】
上記課題を解決するために、本発明の第１の技術手段は、サーバ装置と複数の放送受信装置とがネットワークを介して接続された放送受信システムであって、前記サーバ装置は、予め決められた時刻に対応付けて、放送受信装置の識別情報と、各時刻毎の放送受信装置による電力消費の指標値とを登録するデータベースと、放送受信装置からアクセスがあったときに、該放送受信装置の識別情報が前記データベースに登録されているか否かを判定し、識別情報が未登録の放送受信装置であると判定した場合、前記データベースから前記電力消費の指標値が最も小さい時刻を抽出する時刻抽出手段と、該時刻抽出手段により抽出された時刻を、前記アクセスされた未登録の放送受信装置に通知する時刻通知手段と、前記アクセスされた未登録の放送受信装置の識別情報を、前記データベースの前記電力消費の指標値が最も小さい時刻に登録し、前記データベースの前記電力消費の指標値を更新するデータベース更新手段とを備え、前記電力消費の指標値は、各時刻毎の放送受信装置の登録台数、各時刻毎の各放送受信装置の消費電力を積算した消費電力積算値、各時刻毎の放送受信装置の登録台数に各時刻の電力需要係数を乗じて算出される重み付け値のいずれかであり、前記放送受信装置は、前記サーバ装置から通知された時刻を、放送局から定期的にまたは任意のタイミングで配信される情報を取得する際の起動時刻として設定し、該設定した起動時刻になったときに、スタンバイ状態から起動し、前記放送局から定期的にまたは任意のタイミングで配信される情報を取得することを特徴としたものである。
【手続補正３】
【補正対象書類名】明細書
【補正対象項目名】００１２
【補正方法】変更
【補正の内容】
【００１２】
第３の技術手段は、第１又は第２の技術手段において、前記時刻抽出手段は、前記データベースにアクセスされた放送受信装置の識別情報が登録済みであると判定した場合、前記データベースから前記登録済みの識別情報を削除し、前記データベース更新手段が前記データベースの前記電力消費の指標値を更新した後に、前記データベースから前記電力消費の指標値が最も小さい時刻を抽出し、前記時刻通知手段は、前記時刻抽出手段により抽出された時刻を前記識別情報が登録済みの放送受信装置に通知し、前記データベース更新手段は、前記削除した識別情報を前記電力消費の指標値が最も小さい時刻に対応付けて前記データベースに登録し、該データベースの前記電力消費の指標値を最新の状態に更新することを特徴としたものである。
【手続補正４】
【補正対象書類名】明細書
【補正対象項目名】００１３
【補正方法】変更
【補正の内容】
【００１３】
第４の技術手段は、第１又は第２の技術手段において、前記時刻抽出手段は、前記データベースにアクセスされた放送受信装置の識別情報が登録済みであると判定した場合、前記データベースから前記電力消費の指標値が最も小さい時刻を抽出した後に、前記データベースから前記登録済みの識別情報を削除し、前記時刻通知手段は、前記時刻抽出手段により抽出された時刻を前記識別情報が登録済みの放送受信装置に通知し、前記データベース更新手段は、前記削除した識別情報を前記電力消費の指標値が最も小さい時刻に対応付けて前記データベースに登録し、該データベースの前記電力消費の指標値を最新の状態に更新することを特徴としたものである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
第５の技術手段は、第１〜第４のいずれか１の技術手段において、前記放送受信装置は、該放送受信装置が受信チャンネル設定を含む初期設定を行う際に、前記サーバ装置にアクセスすることを特徴としたものである。
【手続補正８】
【補正対象書類名】明細書
【補正対象項目名】００１７
【補正方法】変更
【補正の内容】
【００１７】
第６の技術手段は、第１〜第５のいずれか１の技術手段における放送受信システムを構成するサーバ装置であって、該サーバ装置は、予め決められた時刻に対応付けて、放送受信装置の識別情報と、各時刻毎の放送受信装置による電力消費の指標値とを登録するデータベースと、放送受信装置からアクセスがあったときに、該放送受信装置の識別情報が前記データベースに登録されているか否かを判定し、識別情報が未登録の放送受信装置であると判定した場合、前記データベースから前記電力消費の指標値が最も小さい時刻を抽出する時刻抽出手段と、該時刻抽出手段により抽出された時刻を、前記アクセスされた未登録の放送受信装置に通知する時刻通知手段と、前記アクセスされた未登録の放送受信装置の識別情報を、前記データベースの前記電力消費の指標値が最も小さい時刻に登録し、前記データベースの前記電力消費の指標値を更新するデータベース更新手段とを備え、前記電力消費の指標値は、各時刻毎の放送受信装置の登録台数、各時刻毎の各放送受信装置の消費電力を積算した消費電力積算値、各時刻毎の放送受信装置の登録台数に各時刻の電力需要係数を乗じて算出される重み付け値のいずれかであることを特徴としたものである。
【手続補正９】
【補正対象書類名】明細書
【補正対象項目名】００１８
【補正方法】変更
【補正の内容】
【００１８】
第７の技術手段は、第６の技術手段において、前記時刻抽出手段は、前記データベースにアクセスされた放送受信装置の識別情報が登録済みであると判定した場合、前記データベースから前記登録済みの識別情報を削除し、前記データベース更新手段が前記データベースの前記電力消費の指標値を更新した後に、前記データベースから前記電力消費の指標値が最も小さい時刻を抽出し、前記時刻通知手段は、前記時刻抽出手段により抽出された時刻を前記識別情報が登録済みの放送受信装置に通知し、前記データベース更新手段は、前記削除した識別情報を前記電力消費の指標値が最も小さい時刻に対応付けて前記データベースに登録し、該データベースの前記電力消費の指標値を最新の状態に更新することを特徴としたものである。
【手続補正１０】
【補正対象書類名】明細書
【補正対象項目名】００１９
【補正方法】変更
【補正の内容】
【００１９】
第８の技術手段は、第６の技術手段において、前記時刻抽出手段は、前記データベースにアクセスされた放送受信装置の識別情報が登録済みであると判定した場合、前記データベースから前記電力消費の指標値が最も小さい時刻を抽出した後に、前記データベースから前記登録済みの識別情報を削除し、前記時刻通知手段は、前記時刻抽出手段により抽出された時刻を前記識別情報が登録済みの放送受信装置に通知し、前記データベース更新手段は、前記削除した識別情報を前記電力消費の指標値が最も小さい時刻に対応付けて前記データベースに登録し、該データベースの前記電力消費の指標値を最新の状態に更新することを特徴としたものである。
【手続補正１１】
【補正対象書類名】明細書
【補正対象項目名】００３４
【補正方法】変更
【補正の内容】
【００３４】
番組表情報取得指示手段２７は、時刻比較手段２６からの指示に応じて、受信手段２１、番組表情報抽出手段２２、及び番組表情報記憶手段２３に指示を行い、番組表情報の取得動作を行う。受信手段２１は、番組表情報を含むデジタル放送信号を受信して、このデジタル放送信号を番組表情報抽出手段２２に出力する。番組表情報抽出手段２２は、受信手段２１で受信したデジタル放送信号から番組表情報を抽出し、抽出した番組表情報を番組表情報記憶手段２３に出力する。番組表情報記憶手段２３は、例えば、不揮発性のメモリであり、番組表情報抽出手段２２で抽出された番組表情報を記憶する。表示手段２０は、例えば、液晶ディスプレイなどの表示部であり、操作手段２９は、放送受信装置２０に対して入力操作を行うための操作部である。